(57)【要約】記録の時間が所定の下限から現在時刻までの間に及ぶところの、記録されたプログラミングの時間シフトバッファは、即時の又は据え置かれた再生のために所望のプログラムを選択する際に、表示された時計の文字盤を用いてユーザによってナビゲートされる。文字盤上の時計の針の巻き戻しは、ユーザ制御下で、分針を、入来するプログラミングが記録された時間間隔を表す文字盤の領域に入らせる。プログラムの一意名は、ユーザが、ナビゲーションの如何なる時点でも、再生のために目下特定されているプログラムを選択することができるように、時計の針の位置付けに関連して表示される。
2008508646.tif 000002
【特許請求の範囲】
【請求項１】
ディスプレイ；及び
該ディスプレイに時計の文字盤及び時計の針を表示するよう構成された処理装置；
を有し、
前記時計の針は、
複数の所定時間間隔の間に割り当てられている、それまでの所定時間スパンに関して、前記処理装置が、前記時計の針が目下存在する時間が前記複数の間隔のいずれかにある間に：
前記時計の針が目下存在する前記時間を含む間隔に対応する事項の前記ディスプレイでの表示；及び
前記間隔が関連する記録を有する場合に、前記間隔に関連付けられた記録の再生の選択のための使用可能性；
のうちの少なくとも１つを引き起こすように巻き戻される、
ことを特徴とする装置。
【請求項２】
前記所定時間スパンは、下限時間にまで及び、
前記時計の文字盤の領域は、前記時間間隔に対応し、
前記時計の針の巻き戻しは、１時間を超え、且つ、前記下限時間を超えない時計文字盤時間スパンに亘って、前記領域の少なくとも１つを前記領域の他とともに、現在表示の目的のために上書きする、
ことを特徴とする請求項１記載の装置。
【請求項３】
前記時計の文字盤の領域は、前記時間間隔に対応し、
如何なる所与の時間においても、表示されている前記領域に対応する前記時間間隔の夫々は、前記時計の針によって表される時間から１時間戻った時間スパンを横断する、
ことを特徴とする請求項１記載の装置。
【請求項４】
前記時計の針の巻き戻しを制御するようユーザによる操作が可能な入力ユニットを更に有する、請求項１記載の装置。
【請求項５】
前記処理装置が前記使用可能性を引き起こす場合に、再生の選択を実行するようユーザによる操作が可能な入力ユニットを更に有する、請求項１記載の装置。
【請求項６】
前記少なくとも１つは、前記ディスプレイでの事項の表示を有する、ことを特徴とする請求項１記載の装置。
【請求項７】
前記少なくとも１つは、前記使用可能性を更に有する、ことを特徴とする請求項６記載の装置。
【請求項８】
前記処理装置は、更に、巻き戻す前記時計の針とともに同時に、現在時刻を示し、且つ、前記巻き戻す時計の針とは区別可能な方法で表示される時計の針を、前記時計の文字盤に表示するよう構成される、ことを特徴とする請求項１記載の装置。
【請求項９】
前記処理装置は、更に、現在時刻を表す数字を表示するよう構成され、
前記数字の表示は、前記時計の針が前記現在時刻を示す間は留保される、
ことを特徴とする請求項１記載の装置。
【請求項１０】
前記所定時間スパンは、下限時間にまで及び、
前記下限時間の前の時間は、前記ディスプレイの背景色で表される、
ことを特徴とする請求項１記載の装置。
【請求項１１】
前記時計の文字盤の領域が、前記時間間隔に対応する場合に、
更に、開始時間と、終了時間と、目下前記時計の文字盤に表示されている１つ又は複数の前記領域に少なくとも１つが対応する記録プログラムのタイトルとを示す、自動的且つ連続的に更新されるテーブルを前記ディスプレイに表示するよう構成され、
前記開始時間の最初及び最後は、夫々、夫々の目下表示されている領域に対応する最初のプログラムの開始時間と、最後のプログラムの終了時間とである、
ことを特徴とする請求項１記載の装置。
【請求項１２】
前記時計の文字盤の領域は、前記時間間隔に対応し、
前記時計の針のうちの所与の１つに関して、前記処理装置により前記引き起こされることは、前記領域の目下表示されている領域に対応する時間間隔の間に作動し、一方、前記時計の針のうちの前記所与の１つは、前記目下表示されている領域内にある、
ことを特徴とする請求項１記載の装置。
【請求項１３】
前記時計の文字盤の領域は、前記時間間隔に対応し、夫々、異なるプログラムコンテンツの記録を表し、
前記領域のうち、２つの直接隣接した、目下表示されている領域は、異なった色を有する、
ことを特徴とする請求項１記載の装置。
【請求項１４】
前記時計の文字盤の領域は、前記時間間隔と、該時間間隔に関連付けられた記録とに対応し、且つ、異なった色を有し、
前記色の１つは、固定記録装置に領域をマークするよう用意される、
ことを特徴とする請求項１記載の装置。
【請求項１５】
ディスプレイへ接続された処理装置に対する命令を有するコンピュータ読み取り可能な媒体であって、
前記処理装置による命令の実行は：
前記ディスプレイでの時計の文字盤の表示；並びに
複数の所定時間間隔の間に割り当てられている、それまでの所定時間スパンに関して、前記処理装置が、時計の針が目下存在する時間が前記複数の間隔のいずれかにある間に：
前記時計の針が目下存在する前記時間を含む間隔に対応する事項の前記ディスプレイでの表示；及び
前記間隔が関連する記録を有する場合に、前記間隔に関連付けられた記録の再生の選択のための使用可能性；
のうちの少なくとも１つを引き起こすように巻き戻される前記時計の針の前記時計の文字盤での表示；
を引き起こす、
ことを特徴とするコンピュータ読み取り可能な媒体。
【請求項１６】
ディスプレイに時計の文字盤を表示するステップ；並びに
複数の所定時間間隔の間に割り当てられている、それまでの所定時間スパンに関して、処理装置が、時計の針が目下存在する時間が前記複数の間隔のいずれかにある間に：
前記時計の針が目下存在する前記時間を含む間隔に対応する事項の前記ディスプレイでの表示；及び
前記間隔が関連する記録を有する場合に、前記間隔に関連付けられた記録の再生の選択のための使用可能性；
のうちの少なくとも１つを引き起こすように巻き戻される前記時計の針を前記時計の文字盤に表示するステップ；
を有する方法。
【請求項１７】
前記所定時間スパンは、下限時間にまで及び、
前記時計の文字盤の領域は、前記時間間隔に対応し、
前記時計の針の巻き戻しは、１時間を超え、且つ、前記下限時間を超えない時計文字盤時間スパンに亘って、前記領域の少なくとも１つを前記領域の他とともに、現在表示の目的のために上書きする、
ことを特徴とする請求項１６記載の方法。
【請求項１８】
前記時計の文字盤の領域は、前記時間間隔に対応し、
如何なる所与の時間においても、表示されている前記領域に対応する前記時間間隔の夫々は、前記時計の針によって表される時間から１時間戻った時間スパンを横断する、
ことを特徴とする請求項１６記載の方法。
【請求項１９】
前記時計の針の巻き戻しを、入力ユニットを操作するユーザによって制御するステップを更に有する、請求項１６記載の方法。
【請求項２０】
前記時計の針の巻き戻しが前記使用可能性を引き起こす場合に、再生の選択を実行するよう入力ユニットユーザによって操作するステップを更に有する、請求項１６記載の方法。
【請求項２１】
前記処理装置は、前記事項の表示を引き起こし、
前記事項は、記録が前記時間間隔の間に行われた場合に、前記記録を識別するタグを有する、
ことを特徴とする請求項１６記載の方法。
【請求項２２】
巻き戻す前記時計の針とともに、現在時刻を示し、且つ、前記巻き戻す時計の針とは区別可能な方法で表示される時計の針を、同時に前記時計の文字盤に表示するステップを更に有する請求項１６記載の方法。
【発明の詳細な説明】
【技術分野】
【０００１】
本発明は、ディスプレイ上の時計の文字盤に基づくインジケータ、及び、更に具体的には、時計の針を巻き戻すことにより操作可能な、時計の文字盤に基づくインジケータに関する。
【背景技術】
【０００２】
現在、ハードディスクドライブ（ＨＤＤ）ビデオレコーダは、急速に普及しつつある。ＨＤＤに基づくデジタルビデオレコーダ（ＤＶＲ）とも呼ばれる、ＨＤＤに基づくパーソナルビデオレコーダ（ＰＶＲ）は、家庭用電化製品市場を独占するであろう。ＨＤＤレコーダの１つの主な利点は、時間シフトとしても知られる、同時に実行可能な視聴覚の（Ａ／Ｖ）再生及び記録という特徴である。この特徴は、以前に記録された、あるいは現在記録中のプログラムが、記録を実行中である同じ装置による即時の再生のために選択されることを可能にする。ＨＤＤレコーダの他の主な利点は、大きな記憶容量である。大きな懸念である課題は、普通のユーザが直ぐに理解することが可能であって、ＨＤＤ概念を満足させる、簡単で、直感的で、ユーザフレンドリーなインターフェースを提供することである。
【０００３】
記録されたプログラミングのナビゲーションは、通常、区分が、時間シフトバッファに保存された記録プログラムの順序に対応するところの、時間シフトバーを表示することによって実施される。バーの一方の端は現在の時間を表し、他方の端はバッファの下限時間を表す。
【０００４】
ＨＤＤ−ＰＶＲ用の既知のユーザインターフェースは、図１に示される。先行技術の時間シフトシステム１００は、ＰＶＲ１０４と、ディスプレイ１０８と、ケーブル１１２と、リモートコントロール１１３とを有する。セットトップボックス及びプロバイダ供給網によるケーブルプロバイダへのＰＶＲ１０４の接続は、図示されていない。ディスプレイ１０８は、目下、入来する放送の場面を示しており、同時に、ＰＶＲ１０４は、スクリーンに表示された記録ボタン１１４によって明示されるように、入来する放送をその内部ＨＤＤに記録している。最後の３時間の記録は、記録されたプログラミングを含む時間シフトバッファの時間シフトバー１１６によってディスプレイ１０８に象徴的に表される。時間シフトバー１１６の右端１２０は、現在時刻１７：４３（即ち、午後５時４３分）を示し、左端１２４は、下限時間１２８、１４：４３（即ち、午後２時４３分）を示す。スクリーンメッセージ１３２は、時間シフトバッファがフルであることを示す。これは、バッファ長さが３時間であることを意味する。異なったハッチング及び他のマーキングによって互いに区別されている、時間シフトバー１１６の様々な長方形部分は、夫々の時間間隔と、過去３時間の間にそれらの間隔で行われた記録とを表す。プログラムタイトル１３６の夫々は、そのプログラム及びその時間間隔を表すその夫々の部分の上に表示される。時間シフトバー１１６は、入来する放送が保存されるにつれて左側へと連続的に移動し、３時間よりも古い記録は、バッファの外に移される。代替的に、又は、反対に、移動は右へと生じ、入来するプログラミングは、バー１１６の左端に最初に現れる。
【０００５】
ユーザは、リモートコントロール１１３、又は、場合によりＰＶＲ１０４を操作して、時間シフトバー１１６にある所望の時間間隔の中のスクリーンカーソル（図示せず。）を動かし、即時の又は据え置かれた再生のために、夫々の記録プログラムを選択する。ハッチングは、時間シフトバー１１６の隣接する部分を区別するよう図１に示されているが、隣接する部分は、通常、異なった色を有する。赤は、プログラムが時間シフトバー１１６から落ちる場合に、そのプログラムがＰＶＲ１０４で利用可能な不変なタイトルに変換されうるように、固定記憶装置にプログラムをマークするためにしばしば用いられる。部分の更なる色分けは、また、例えば、チャネル又はジャンルによっても可能である。
【発明の開示】
【発明が解決しようとする課題】
【０００６】
しかし、多数のユーザは、この概念に精通しておらず、それが理解するには複雑で難しすぎることを知る。更に、上記例で、時間シフトバーは、１から８時間の間の標準的長さに対して、３時間の長さであるが、この長さは、ＨＤＤの容量におけるその後の発展とともに、１６、３２又はそれ以上の時間にまで増えることが期待される。時間シフトバッファのサイズが増大するにつれて、粒度は悪化する。即ち、スクリーン上での区分及びプログラムタイトルのサイズは小さくなり、ユーザインターフェースを読みにくく、且つ、理解しにくくする。粒度の問題は、更に、レコーダが、例えば小型テレビのような、小型ディスプレイを有する装置へ接続される場合に悪化する。
【課題を解決するための手段】
【０００７】
本発明は、先行技術における上記欠点に対処する。本発明は、ディスプレイと、該ディスプレイに時計の文字盤を示すよう構成された処理装置とを有する装置と、該装置で動作可能な方法と、該方法を実行するためのコンピュータプログラムとを提供することを目的とする。前記処理装置は、更に、所定の時間間隔の間に割り当てられた、それまでの所定時間スパンに関して、前記処理装置が、時計の針が目下表す時間が前記時間間隔のいずれかにある間に、前記時計の針によって目下表されている時間を含む時間間隔に対応する事項の前記ディスプレイでの表示、及び、もしあれば前記間隔に関連付けられた記録の再生の選択のための実行可能性、のうちの少なくとも１つを引き起こすように巻き戻す時計の針を示すよう構成される。
【発明を実施するための最良の形態】
【０００８】
ここで開示される本発明の詳細については、以下で挙げられている図面を用いて説明する。
【０００９】
本発明に従うＨＤＤ−ＰＶＲ用ユーザインターフェースは、例えば、パーソナルデジタルアシスタント（ＰＤＡ）やビデオＭＰＥＧプレーヤなどの、小型ディスプレイを備えた携帯型ＨＤＤレコーダ及びミニＨＤＤに基づく装置において潜在的な用途を生じさせるとともに、低減されたスクリーン領域設置面積を享受する。
【００１０】
図２は、説明のための限定されない例として、本発明に従う、時計に基づく時間シフトバッファナビゲーションを備えたＰＤＡ２００を示す。ＰＤＡ２００は、基台２０４と、ディスプレイ２１２を収容する押し上げ式のふた２０８とを有する。ディスプレイ２１２は、時計の文字盤２１６と、時針２２０と、分針２２４とを示す。ディスプレイ２１２は、更に、選択可能なプログラムタイトル領域２２８を有する。
【００１１】
基台２０４は、処理装置（図示せず。）と、時間シフトバッファを有するミニＨＤＤ（図示せず。）とを内蔵するが、代替的に、遠く離れて置かれたＨＤＤが処理装置との通信に用いられても良い。ハードウェア、ファームウェア及び／又はソフトウェアの如何なる適切な組合せにおいても実施される処理装置は、ディスプレイ２１２にプログラミングを表示し、あるいは他の装置での遠隔表示のためにプログラミングを送信し、常駐の又は遠くの時間シフトバッファにプログラミングを記録し、ユーザ制御下で、例えばキーボード２３２のような入力ユニットに従って動作する。しかし、本発明のユーザインターフェースは、ＰＤＡ又は如何なる他の特定の装置での実現にも限定されない。従って、例えば、リモートコントロールは入力ユニットとして働き、外部の処理装置及び／又はディスプレイが利用されても良い。同様に、ディスプレイが、如何なる種類のスクリーンでも又は別の方法で、例えばホログラフィック画像を具現化されても良いことは、本発明の意図された適用範囲内にある。
【００１２】
図３は、特定の時間シフトバッファコンテンツに関して図２のディスプレイ２１２の更に詳細な図である。時計の針２２０、２２４は、記録されたプログラミングの時間シフトバッファをナビゲートするよう、入力ユニット２３２を介してオペレータ制御下で巻き戻し又は早送りをなされる。示される本実施例において、表示される「ナビゲーション」針２２０、２２４は、現時点で、時計の文字盤での規則的な時計回りにより従来の方法で時計を合わせる「現在時刻」の時計の針の他の対を視界から排除するように「オーバーレイ」する。従って、現在時刻は１５：００（即ち、午後３時）である。時刻表示３０２は、時計の文字盤が表示されている即時認知を高めるよう時計の文字盤の周りに配置されても良い。
【００１３】
実際にはハッチングよりもむしろ色分けにより実施されうる、時計の文字盤２１６の左上４分の１の斜線領域３０４は、プログラミングが過去１５分間に連続的に記録されたことを示す。このユーザインターフェースは、分針２２４が斜線領域３０４を通り抜けるように時計の針２２０、２２４を巻き戻すことにより、１４：４５、即ち、現在時刻の１５分前を読み出すよう時計の針が位置付けられるので、直感的である。図３に示される時計の文字盤２１６に従って、時計の針２２０、２２４の更なる巻き戻しは、ディスプレイの背景色、即ち、文字盤２１６を囲む表示領域３１２の色に色づけされた領域である、文字盤の「透明領域」３０８に分針２２４を動かしうる。透明性は、プログラミングが、時間シフトバッファにおいて、１４：４５から１５：００までの間に行われた前出の記録の前にはなく、結果として、プログラム記録がほんの１５分前にＰＤＡ２００によって開始されたことを示す。選択可能なプログラムタイトル領域は、ナビゲーション針２２０、２２４によって目下示されているプログラムのタイトルを表示する。このプログラムが少なくとも２０分の長さを有し、ユーザがキーボード２３２により時計の針２２０、２２４をナビゲートしないならば、選択可能なプログラムタイトル領域は、現在隠されている現在時刻の針が、ナビゲーションの時計の針２２０、２２４の下から出てきて、時刻が１５：０５であることを示す場合に、現在から５分後の１５：０５にも同じタイトルの表示を保持しうる。
【００１４】
図４は、図３と類似するが、異なるバッファコンテンツを有する時計の文字盤４００の図である。複数のパレット色が、時計の文字盤４００の隣接する領域を区別するために望ましいが、表示されるテクスチャ又は他の特徴が互いからディスプレイの直接隣接する領域を区別する限り、黒及び白の色分けで十分である。前者の多色表示では、赤は、時間シフトバッファの外へ移動した後でさえ選択及び再生のために保持されるべきプログラムをマークするために使用されても良い。
【００１５】
図３と同様に、ナビゲーション針４０２、４０４は、現在時刻を示すが、１５分間の記録されたプログラミングしか有さない、図３の文字盤２１６によりナビゲーション可能な時間シフトバッファとは異なり、文字盤４００によりナビゲーション可能な時間シフトバッファは、少なくとも１時間の記録されたプログラミングを有する。選択可能なプログラムタイトル領域４０８は、現在記録中であって、斜線領域又は扇形４１２によってスクリーン上に表されているプログラムのタイトルを表示する。現在の領域４１２と前の領域４１６との間の境界は、「ダンス・ウィズ・ウルブス」の記録が１４：５０に開始したことを示す。領域４１６に対応するプログラムの記録は、１４：３５に始まり、１４：５０に終了し、その他文字盤４００において同様である。領域４４０に対応するプログラムの記録開始時間は、１４：００よりは遅くないが、概して、それよりも早い。時間を遡ってナビゲートすると、１５：００過ぎでの領域４４０の開始は、ナビゲーションの時間長さが１時間を超えているので、ディスプレイ２１２に、現在表示されている領域４１２を上書きさせる。この意味で、本発明の時計の文字盤は、時間シフトバッファの表示を時間的に層状にし、１時間よりも多くない時間内で遡る現在の表面層にのみ、如何なる所与の瞬間にも、表示を効果的に限定する。
【００１６】
時間シフトバッファナビゲーションは、時間が２０分だけ巻き戻された後の図４の時計の文字盤の図である図５に明示される。入力装置２３２による巻き戻し／早送りは、「高速巻き戻し／早送り」ボタンを押すことにより連続的であっても良く、あるいは「スキップ巻き戻し／早送り」方式で領域から隣接する領域へとジャンプすることができる。前者の場合には、望ましくは、選択可能なプログラムタイトル領域５０２は、分針４０４が対応する領域を横切るとともに連続して同じタイトルを表示し、分針４０４が隣接する領域に入ると適切なタイトルへと即座に切り替え、分針４０４がその後の領域に入るまでそのタイトルの表示を保持する。ここで、図５において、ナビゲーション針４０２、４０４の２０分の巻き戻しがほぼ瞬間的であると仮定すると、現在時刻は、巻き戻しの結果として目下表示可能である現在時刻の針５０８、５１２によって示される。現在時刻の針５０８、５１２は、ナビゲーションの針４０２、４０４とは区別可能とされるべきであり、ここでは、例えば、点線から成るように示されている。プログラムのタイトル「ミート・ザ・プレス」は、選択可能なプログラムタイトル領域５０２に目下表示されている事項又はタグである。従って、図４及び５の比較は、領域４１６が、「ミート・ザ・プレス」と名付けられたプログラムに対応するように図４では示されていないが、目下図５では示されていることを示す。図５は、また、領域４４０に対応するプログラムを記録するための開始時間、即ち１３：４５を示すことによって、図４を拡張する。更に、時間シフトバッファが、１３：４５に記録時間が終了した、領域５２４に対応する、以前に記録されたプログラムを有することが分かる。
【００１７】
ユーザがその選択を可能にするよう所望のプログラムへナビゲーション針４０２、４０４を動かすと、キーボード２３２の適切なボタンは、即時の又は据え置かれた再生のためにプログラムを選択するよう作動可能である。また、予め設定された時間量の後に、更なる作動を伴わずに、ナビゲートされるプログラムが自動的に選択されるように、ＰＤＡ２００を構成することも可能である。望ましくは、いずれの場合にも、選択されたプログラムは、プログラムの最初に再生を開始されるが、ナビゲートされる時間は、プログラム内の再生の開始位置をマークするために使用されても良い。
【００１８】
選択可能なプログラムタイトル領域５０２が、プログラム選択をマークするためにユーザのナビゲーショントラッカーとして利用されるが、本発明は、このような実施に限定されない。ＰＤＡ２００は、例えば、ナビゲーション中にプログラムタイトルを公表する音声合成装置を更に又は代替的に有しても良い。本発明の他の代わりの実施例として、ナビゲーションは、単に、ユーザに現在の時間間隔を識別させるよう機能し、それによって、例えば、ユーザがメモリ装置を走査することを可能にする小型のユーザインターフェースとして働いても良い。
【００１９】
図６は、図５の時計の文字盤に類似するが、随意的な標識機能を組み込む文字盤６００である。現在時刻の時計の針は、デジタル表示６０４により置き換えられている。デジタル表示６０４の表示は、ナビゲーション及び現在時刻の針が一致する間は留保される。更に、テーブル６０８が、随意的に、文字盤６００の近くに表示されても良い。テーブル項目は、現在表示されている如何なるプログラムに関しても、タイトルと、開始時間と、終了時間とを有する。表示されるプログラムの最大経過及び最小経過の終了及び開始の時間が、夫々、単に時計の文字盤６００に基づいてスクリーン上に与えられるのではなく、これらは、随意的に、過去又は現在に更に及ぶ更なる項目とともに、都合良くテーブルに提供されても良い。
【００２０】
図７は、本発明に従う時計の文字盤７００が時間シフトバッファの下限時間へのナビゲーションの結果のように見える、例となる特別な場合を示す図である。時間シフトバッファの入力終了は、図７には１５:００であるように示される現在時刻に対応し、記録は１２：００前には存在しないので、時間シフトバッファは１２：００から１５：００に及ぶ３時間の長さを有することが、図７から推察可能である。時計の文字盤の透明な又は空の部分は、上述されたように、望ましくは、ディスプレイの背景色にある。透明な部分へのナビゲーションは、例えば、空白の事項を表示することによって、選択可能なプログラムタイトル領域７０４を削除しうる。
【００２１】
先に明示されたように、本発明のユーザインターフェースによる、時計に基づく時間シフトバッファナビゲーションは、モデム、携帯電話、及び特に携帯型の装置の小型形状因子との一致でスクリーン設置面積を低減する。これは、従来の時間シフトバーを、螺旋状に、１度に単に１時間に値するプログラミングの表示を行う層状の対称構造へとすることによって達成される。更に、時計の巻き戻しに関する直感的な概念は、容易に理解可能なユーザナビゲーションツールを提供するために利用される。
【００２２】
本発明の好ましい実施例と考えられるものが示唆及び記載される一方で、当然、様々な変形及び変更は、形式上又は詳細に、本発明の精神を損なわない範囲で容易に実行されうることが明らかである。例えば、円い、具体的には円形の文字盤がここでは開示されてきたが、時計の文字盤は、同心の時計の針が、文字盤の時間間隔領域を動く限り、如何なる形状から成っても良い。従って、本発明は、記載及び明示された厳密な形状に限定されず、添付の特許請求の範囲の適用範囲内にある全ての変形例を対象とするよう構成されるべきである。
【図面の簡単な説明】
【００２３】
【図１】既知のＨＤＤ−ＰＶＲシステムと、時間シフトバッファをナビゲートするための、その時間シフトバーに基づくユーザインターフェースとを表す。
【図２】本発明に従う、時計に基づく時間シフトバッファナビゲーションを備えたパーソナルデジタルアシスタント（ＰＤＡ）の透視図である。
【図３】特定の時間シフトバッファコンテンツに関して図２に示されたディスプレイの更に詳細な図である。
【図４】図３と類似するが、異なるバッファコンテンツを有する時計の文字盤の図である。
【図５】時間が２０分だけ巻き戻された後の図４の時計の文字盤の図である。
【図６】代わりの現在時刻表示方法で、時計の文字盤に対応するテーブルとともに構成された図５の時計の文字盤の図である。
【図７】異なるバッファコンテンツを有し、バッファの終わり近くまで時間が巻き戻された図３の時計の文字盤の図である。
【図１】
2008508646.tif 000003
【図２】
2008508646.tif 000004
【図３】
2008508646.tif 000005
【図４】
2008508646.tif 000006
【図５】
2008508646.tif 000007
【図６】
2008508646.tif 000008
【図７】
2008508646.tif 000009
【国際調査報告】
2008508646.tif 000010
2008508646.tif 000011
2008508646.tif 000012